(57)【特許請求の範囲】
【請求項１】
球払出装置と、
前記球払出装置から払い出された球の通路である球通路と、
所定の位置に取り付けられ、前記球払出装置から払い出された球を検出する払出球検出手段と、
前記球通路における球の通過を許可する許可位置と、前記球通路における球の通過を禁止する禁止位置とに移動可能であり、前記払出球検出手段が前記所定の位置にあるときは、前記許可位置にあるとともに、前記払出球検出手段が前記所定の位置にないときは、前記禁止位置にある通過制御部材と、
を備えることを特徴とする球払出システム。
【請求項２】
前記通過制御部材は、前記払出球検出手段が前記所定の位置にないときは、前記通過制御部材を前記禁止位置へ移動する方向に付勢する付勢手段、又は前記通過制御部材の自重により、前記禁止位置へ移動可能であり、前記払出球検出手段が前記所定の位置にあるときは、前記払出球検出手段に当接することで前記禁止位置への移動を制限されることを特徴とする請求項１記載の球払出システム。
【請求項３】
請求項１又は２に記載の球払出システムを備える遊技機であって、
前記球通路は前記遊技機の球受け皿につながり、
前記通過制御部材が前記禁止位置にあるとき、前記球通路の通過を禁止された球は、前記遊技機が球を遊技機外へ排出するアウト口につながるアウト通路に誘導されることを特徴とする遊技機。
【発明の詳細な説明】
【技術分野】
【０００１】
本発明は、例えば、パチンコ機等の遊技機に用いられる球払出システム、及びその球払出システムを備えた遊技機に関する。
【背景技術】
【０００２】
パチンコ機は、入賞があったとき、球払出装置により、所定数の球を球受け皿に払い出す。球払出装置は、払い出すべき球の数に応じた払出動作を行うが、球払出装置よりも上流側において球が不足している場合は、本来払い出すべき数の球が実際には払い出されないことがある。
【０００３】
そこで、球払出装置よりも下流側に設けた払出球検出ＳＷ（スイッチ）により、実際に払い出された球の数を検出し、その数が本来払い出すべき数に対して不足している間は、球払出装置の払出動作を所定の周期で繰り返し、上記不足が解消されたときに、通常動作に復帰する技術が提案されている（特許文献１参照）。
【特許文献１】特開２００２−３５３３５号公報
【発明の開示】
【発明が解決しようとする課題】
【０００４】
しかしながら、不正行為等により払出球検出ＳＷが取り外されてしまい、球払出装置から払い出された球を検出できなくなってしまった場合、払出球検出ＳＷで検出した球の数は、本来払い出すべき数に対して、常に不足した状態となるので、球払出装置は、周期的な払出を際限なく続けることになる。その結果、パチンコホールは大きな不利益を被ってしまう。
【０００５】
本発明は以上の点に鑑みなされたものであり、例えば払出球検出ＳＷが取り外される等して、球払出装置から払い出された球を検出できなくなった場合に、過剰な払出を防止できる球払出システム及び遊技機を提供することを目的とする。
【課題を解決するための手段】
【０００６】
（１）請求項１の発明は、
球払出装置と、前記球払出装置から払い出された球の通路である球通路と、所定の位置に取り付けられ、前記球払出装置から払い出された球を検出する払出球検出手段と、前記球通路における球の通過を許可する許可位置と、前記球通路における球の通過を禁止する禁止位置とに移動可能であり、前記払出球検出手段が前記所定の位置にあるときは、前記許可位置にあるとともに、前記払出球検出手段が前記所定の位置にないときは、前記禁止位置にある通過制御部材と、を備えることを特徴とする球払出システムを要旨とする。
【０００７】
本発明によれば、不正行為等で払出球検出手段が所定の位置から取り外されたとき、通過制御部材が禁止位置に移動し、球通路における球の通過を禁止するので、過剰な払出を防止できる。
【０００８】
通過制御部材は、例えば、禁止位置にあるとき、球通路の内側に入り込み、球通路を狭めることで、球通路における球の通過を禁止する。すなわち、通過制御部材が禁止位置にあるとき、球通路内の球は、通過制御部材と当接することで、通過制御部材よりも下流には移動できなくなる。また、後続する球は、先に詰まっている球により移動を制限される。
（２）請求項２の発明は、
前記通過制御部材は、前記払出球検出手段が前記所定の位置にないときは、前記通過制御部材を前記禁止位置へ移動する方向に付勢する付勢手段、又は前記通過制御部材の自重により、前記禁止位置へ移動可能であり、前記払出球検出手段が前記所定の位置にあるときは、前記払出球検出手段に当接することで前記禁止位置への移動を制限されることを特徴とする請求項１記載の球払出システムを要旨とする。
【０００９】
本発明によれば、簡単な構造により、通過制御部材を所定の位置（禁止位置、又は許可位置）に移動させることができる。
（３）請求項３の発明は、
請求項１又は２に記載の球払出システムを備える遊技機であって、前記球通路は前記遊技機の球受け皿につながり、前記通過制御部材が前記禁止位置にあるとき、前記球通路の通過を禁止された球は、前記遊技機が球を遊技機外へ排出するアウト口につながるアウト通路に誘導されることを特徴とする遊技機を要旨とする。
【００１０】
本発明の遊技機は、不正行為等で払出球検出手段が所定の位置から取り外されたとき、通過制御部材が禁止位置に移動し、球通路における球の通過を禁止するので、過剰な払出を防止できる。
【００１１】
また、本発明の遊技機では、球通路において通過を禁止した球を、アウト通路に誘導し、アウト口から排出する。そのことにより、球通路における球の通過を禁止したときでも、球通路に球が溜まることで球払出装置の払出動作が妨げられ、球払出装置が故障してしまうようなことがない。
【発明を実施するための最良の形態】
【００１２】
本発明の実施形態を図面に基づいて説明する。
【実施例１】
【００１３】
１．パチンコ機１の全体構成
パチンコ機１の構成のうち、主として本発明に関わる部分を、図１に基づいて説明する。図１はパチンコ機１の裏面図である。なお、パチンコ機１は、図示しない部分においては、通常の構成を備えている。パチンコ機１の裏面側には、機構板３が取り付けられている。この機構板３の裏面上部には、パチンコ球を貯溜する球タンク５が設けられ、この球タンク５には、そこから流れ出るパチンコ球を整列状態で流下させるタンクレール７が接続されている。このタンクレール７の下端には、球供給路９が設けられ、その球供給路９の下端部に、球払出装置１１が接続されている。また、球払出装置１１の下流側の球通路には、球払出装置１１から払い出されたパチンコ球を検出する払出球検出センサ１３（図２参照）が設けられている。この払出球検出センサ１３は、球払出装置１１から払い出されるパチンコ球を応答良く検出するために、近接スイッチ、光センサ等の非接触型のセンサで構成されている。
【００１４】
２．パチンコ機１の電気的構成
パチンコ機１のうち、本発明に関わる部分の電気的構成を図２に基づいて説明する。
図２に示すように、パチンコ機１には、パチンコ機１全体の制御を管理するメイン制御回路１５と、球払出装置１１を制御する払出制御回路１７とが設けられている。メイン制御回路１５と払出制御回路１７とは、それぞれマイクロコンピュータを主体として構成され、メイン制御回路１５は、図示しない制御プログラムを実行することで、入賞球センサ１９からの入賞信号に応じて賞球コマンドを払出制御回路１７に送信する。なお、入賞球センサ１９は、パチンコ機１の正面側に取り付けられた遊技盤（図示略）に設けられた入賞口にパチンコ球が入賞したことを検出するセンサである。
【００１５】
一方、払出制御回路１７は、受信した賞球コマンドに応じて球払出装置１１の払出動作を制御して、賞球コマンドに応じた数のパチンコ球（賞球）を払い出そうとする。このとき、払出球検出センサ１３の出力信号を取り込んで賞球の実際の払出数をカウントし、賞球コマンドに応じた数の賞球が払出球検出センサ１３でカウントされなかったときに、球払出装置１１に供給されるパチンコ球（供給球）が不足していると判定する。供給球の不足と判定している期間中は、所定の周期で球払出装置１１の払出動作を繰り返す。賞球コマンドに応じた数のパチンコ球が払出球検出センサ１３でカウントされたとき、供給球の不足が解消されたと判定し、通常動作に復帰する。
【００１６】
すなわち、払出制御回路１７は、払出球検出センサ１３の検出結果に基づき、所定数（賞球コマンドに応じた数）のパチンコ球を払い出すように、球払出装置１１を制御する。このことにより、球払出装置１１よりも上流側においてパチンコ球が不足する等の理由で、球払出装置１１から所定数のパチンコ球がすぐには払い出されない場合でも、払出制御回路１７が払出球検出センサ１３の検出結果に基づき球払出装置１１を制御することにより、所定数のパチンコ球の払い出しを実現できる。
【００１７】
３．球払出装置１１の周辺における構成
球払出装置１１の周辺における構成を図３に基づいて説明する。
図３に示すように、球供給路９の下端部に球払出装置１１が設けられている。球払出装置１１の下側には、球払出装置１１から払い出されたパチンコ球を球受け皿（図示略）に案内する管状の球通路２１が設けられている。球通路２１の途中には、球払出装置１１から払い出されたパチンコ球を検出する払出球検出センサ１３が取り付けられている。払出球検出センサ１３の筐体は、球通路２１の側壁の一部を切り欠いた取り付け孔２２から、球通路２１内に入り込んでいるが、払出球検出センサ１３は、上下方向に貫通した通過孔２３を備えており、球払出装置１１から払い出されたパチンコ球は、この通過孔２３を通過して、払出球検出センサ１３よりも下流側に進むことができる。
【００１８】
球通路２１と平行して、パチンコ機１のアウト口（図示略）につながるアウト通路２４が設けられている。アウト通路２４は、その上側において、球通路２１と合流している。アウト通路２４と球通路２１とが合流する位置には、可動扉２５が設けられている。可動扉２５は、その下側の回動軸２７を中心として、略鉛直になる位置Ａ（図３（ａ）に示す位置）と、左方に倒れた位置Ｂ（図３（ｂ）に示す位置）との間で回動可能である。払出球検出センサ１３が正常な位置（図３（ａ）に示す位置）に取り付けられているとき、可動扉２５は位置Ａにある。そして、可動扉２５の左側面に払出球検出センサ１３の筐体が当接し、また、可動扉２５の先端部２９における右側がアウト通路２４の上側面３１に当接することで、可動扉２５の位置は固定される。このとき、球通路２１とアウト通路２４とは可動扉２５により隔てられるので、球払出装置１１から払い出されたパチンコ球は、アウト通路２４には入らず、払出球検出センサ１３を通過し、球受け皿に至る。
【００１９】
一方、図３（ｂ）に示すように、不正行為等により、払出球検出センサ１３が球通路２１から取り外されたとき、可動扉２５は反時計方向に回動し、位置Ｂに来る。なお、位置Ｂにある可動扉２５の先端部２９は、球通路２１の内面に当接しており、可動扉２５は、位置Ｂよりも左側には回動しない。可動扉２５が位置Ｂにあるとき、球通路２１は可動扉２５により塞がれパチンコ球の通過が禁止される。また、球通路２１とアウト通路２４との間には、パチンコ球の通路が形成される。よって、球払出装置１１から払い出されたパチンコ球は、球通路２１の途中からアウト通路２４に入り、アウト口に至る。このとき、位置Ｂにある可動扉２５は、アウト通路２４に近い側が低くなるように傾斜しているので、パチンコ球をスムーズにアウト通路２４に送ることができる。
【００２０】
可動扉２５の位置Ａは、可動扉２５がわずかに左側に傾斜する位置であることが好ましい。こうすることにより、払出球検出センサ１３が取り外されたとき、可動扉２５は、自重により回動し、位置Ｂに至る。また、位置Ａにある可動扉２５は、図示しない付勢手段（例えばバネ）により、位置Ｂの方向へ回動するように付勢されていてもよい。こうすることにより、払出球検出センサ１３が取り外されたとき、可動扉２５は、付勢手段の付勢力により回動し、位置Ｂに至る。
【００２１】
また、パチンコ機１は、払出球検出センサ１３のハーネスの断線や抜けを検出する回路（図示略）をそなえている。そのセンサがハーネスの断線や抜けを検出すると、払出制御回路１７（図２参照）は、球払出装置１１の払出動作を停止するとともに、エラー報知を行う。このエラー報知は、図１に示すエラー表示ＬＥＤ４１（エラー４を表示）を点灯させるとともに、パチンコ機１の正面に設けられた払出異常ＬＥＤ（図示略）を点灯させることにより行う。このように、パチンコ機１は、払出球検出センサ１３のハーネスの断線や抜けを検出すると、球払出装置１１の払出動作を停止し、過剰な払出を防止するとともに、エラー報知を行うことができる。
【００２２】
４．パチンコ機１が奏する効果
（１）パチンコ機１は、不正行為等で払出球検出センサ１３が所定の位置から取り外されたとき、可動扉２５を位置Ｂに移動させ、球通路２１におけるパチンコ球の通過を禁止するので、過剰な払出を防止できる。
（２）パチンコ機１は、球通路２１におけるパチンコ球の通過を禁止したとき、払い出されたパチンコ球を、アウト通路２４に誘導し、アウト口から排出する。そのことにより、球通路２１におけるパチンコ球の通過を禁止したときでも、球通路２１に球が溜まることで球払出装置１１の払出動作が妨げられ、球払出装置１１が故障してしまうようなことがない。
【実施例２】
【００２３】
パチンコ機１の構成は、基本的には前記実施例１と同様であるが、球払出装置１１の周辺の構成において相違する。以下では、その相違点を中心に図４に基づいて説明する。  
図４に示すように、球供給路９の下端部に球払出装置１１が設けられている。球払出装置１１の下側には、球払出装置１１から払い出されたパチンコ球を球受け皿（図示略）に案内する管状の球通路２１が設けられている。球通路２１の途中には、球通路２１の側壁を一部切り欠いて成る切り欠き部３３が形成されている。また、球通路２１において切り欠き部３３と対向する位置に切り欠き部３５が形成されている。
【００２４】
球払出装置１１から払い出されたパチンコ球を検出する払出球検出センサ１３は、切り欠き部３３から球通路２１内に挿入され、その先端部１３ａが、切り欠き部３５に達している。
【００２５】
先端部１３ａに当接して、通過制御部材３７が設けられている。通過制御部材３７のうち、払出球検出センサ１３とは反対側の面には、バネ３９が当接している。バネ３９は、通過制御部材３７を、球通路２１内に入り込む方向に付勢している。ただし、払出球検出センサ１３が正常な位置（図４（ａ）に示す位置）に取り付けられているときは、通過制御部材３７は、払出球検出センサ１３により移動を制限され、球通路２１内に入り込むことはない。このとき、球払出装置１１から払い出されたパチンコ球は、払出球検出センサ１３を通過し、球受け皿に至る。
【００２６】
一方、図４（ｂ）に示すように、不正行為等により、払出球検出センサ１３が球通路２１から取り外されたとき、通過制御部材３７は、バネ３９の付勢力により、切り欠き部３５を通って球通路２１内に入り込み、切り欠き部３３まで至る。このとき、球通路２１は通過制御部材３７により塞がれ、パチンコ球の通過が禁止される。球払出装置１１から払い出されたパチンコ球は、球通路２１のうち、通過制御部材３７よりも上流側に溜まってゆき、やがて、球払出装置１１に達し、球払出装置１１の払出モータ（図示略）が回転できなくなる。パチンコ機１の球払出装置１１は、払出モータの回転を検知するセンサを備えており、賞球の払い出し時においてリトライ動作が行われても払出モータの正常な回転が検出できない状態が５回連続して発生した場合は、エラー報知を行う。エラー報知は、図１に示すエラー表示ＬＥＤ４１（エラー３を表示）を点灯させるとともに、パチンコ機１の正面に設けられた払出異常ＬＥＤ（図示略）を点灯させることにより行う。このように、パチンコ機１は、払出球検出センサ１３が球通路２１から取り外されたとき、払出モータの異常に基づいて報知を行うことができる。
【００２７】
また、パチンコ機１は、不正行為等で払出球検出センサ１３が所定の位置から取り外されたとき、通過制御部材３７を球通路２１内に入り込ませ、球通路２１におけるパチンコ球の通過を禁止するので、過剰な払出を防止できる。
【００２８】
また、パチンコ機１は、バネ３９で通過制御部材３７を付勢するという簡単な構造により、通過制御部材３７を確実に、所定の位置（球通路２１におけるパチンコ球の通過を禁止する位置）に移動させることができる。
【実施例３】
【００２９】
パチンコ機１の構成は、基本的には前記実施例１と同様であるが、球払出装置１１の周辺の構成において相違する。以下では、その相違点を中心に図５に基づいて説明する。  
図５に示すように、球供給路９の下端部に球払出装置１１が設けられている。球払出装置１１の下側には、球払出装置１１から払い出されたパチンコ球を球受け皿（図示略）に案内する管状の球通路２１が設けられている。球通路２１の途中には、球通路２１の側壁を一部切り欠いて成る切り欠き部３３が形成されている。また、球通路２１において切り欠き部３３と対向する位置に切り欠き部３５が形成されている。
【００３０】
球払出装置１１から払い出されたパチンコ球を検出する払出球検出センサ１３は、切り欠き部３３から球通路２１内に挿入され、その先端部１３ａが、切り欠き部３５に達している。
【００３１】
切り欠き部３５の近傍に、通過制御部材４３が取り付けられている。通過制御部材４３は、断面が略Ｌ字型の板状部材であり、その上端部４５は、球通路２１の外側面のうち、切り欠き部３５の上側の部分に対し、回動軸４７を介して回動自在に取り付けられている。また、通過制御部材４３は、その中央部４９において約９０度屈曲し、中央部４９よりも下側の部分である下側部５１は、球通路２１の方に向かってのびている。また、中央部４９付近には、錘５３が取り付けられている。
【００３２】
払出球検出センサ１３が正常な位置（図５（ａ）に示す位置）に取り付けられているとき、通過制御部材４３は、その下端部５４が切り欠き部３５において払出球検出センサ１３に当接し、図５（ａ）に示す位置にある。このとき、通過制御部材４３の自重（特に錘５３の自重）により、通過制御部材４３には、回動軸４７を中心として時計回りに回転しようとする力が働くが、下端部５４が払出球検出センサ１３に当接することにより、通過制御部材４３の回転は抑制される。この状態において、球払出装置１１から払い出されたパチンコ球は、払出球検出センサ１３を通過し、球受け皿に至る。
【００３３】
一方、図５（ｂ）に示すように、不正行為等により、払出球検出センサ１３が球通路２１から取り外されたとき、通過制御部材４３は、その自重により、回動軸４７を中心として時計回りに回転し、下側部５１は、切り欠き部３５を通って球通路２１内に入り込む。このとき、球通路２１の大部分は下側部５１により塞がれ、パチンコ球の通過が禁止される。球払出装置１１から払い出されたパチンコ球は、球通路２１のうち、下側部５１よりも上流側に溜まってゆき、やがて、球払出装置１１に達し、球払出装置１１の払出モータ（図示略）が回転できなくなる。パチンコ機１の球払出装置１１は、払出モータの回転を検知するセンサを備えており、賞球の払い出し時においてリトライ動作が行われても払出モータの正常な回転が検出できない状態が５回連続して発生した場合は、エラー報知を行う。エラー報知は、図１に示すエラー表示ＬＥＤ４１を点灯させるとともに、パチンコ機１の正面に設けられた払出異常ＬＥＤ（図示略）を点灯させることにより行う。このように、パチンコ機１は、払出球検出センサ１３が球通路２１から取り外されたとき、払出モータの異常に基づいて報知を行うことができる。
【００３４】
また、パチンコ機１は、不正行為等で払出球検出センサ１３が所定の位置から取り外されたとき、通過制御部材４３を球通路２１内に入り込ませ、球通路２１におけるパチンコ球の通過を禁止するので、過剰な払出を防止できる。
【００３５】
また、パチンコ機１は、通過制御部材４３の自重で通過制御部材４３を回転させるという簡単な構造により、通過制御部材４３を確実に、所定の位置（球通路２１におけるパチンコ球の通過を禁止する位置）に移動させることができる。
【００３６】
尚、本発明は前記実施の形態になんら限定されるものではなく、本発明を逸脱しない範囲において種々の態様で実施しうることはいうまでもない。
例えば、前記実施例１〜３において、パチンコ機１の正面側から払出球検出センサ１３が取り付けられていることを視認可能にしてもよい。具体的には、パチンコ機１の正面側に取り付けられた遊技盤（図示略）や機構盤３の一部を透明にして、パチンコ機１の正面側から払出球検出センサ１３を視認可能とする。これにより、払出球検出センサ１３がパチンコ機１の正面側から視認可能であるため、払出球検出センサ１３が不正行為等によって所定の位置から取り外されているか否かを容易に確認することができる。
【００３７】
パチンコ機１は、払出球検出センサ１３が所定の位置にあるか否かを検出するセンサを備え、払出球検出センサ１３が所定の位置にないことをそのセンサにより検出したときは、異常報知を行ったり、球払出装置１１による払い出しを停止したり、異常信号を外部出力し、ホールコンピュータでも、払出球検出センサ１３が所定の位置にあるか否かを管理できるようにしてもよい。この方法でも、不正行為等で払出球検出センサ１３が所定の位置から取り外されたとき、過剰な払い出しを防止でき、また、パチンコ機１での異常報知や、ホールコンピュータでの異常の管理により、早期に異常が分かり、早期対策ができる。また、異常からの復帰は、異常解除のスイッチを設けておき、この異常解除のスイッチが押されたら異常解除信号を外部出力して、ホールコンピュータでも異常の解除を管理できるようにしてもよい。これにより、異常の解除を行う際、異常の解除を行うことはホールコンピュータで管理できるため、不正行為を行ったものによって異常の解除が行われたとしても、履歴を見れば分かり、ホール側は今後の不正行為対策を行うことができる。
【００３８】
前記実施例１〜３では、実際に払い出したパチンコ球の数が本来払い出すべき数に対し不足している間は、球払出装置１１の払出動作を所定の周期で無制限に繰り返すが、払出動作の上限回数（例えば５回）を設定し、上限回数を超えた場合は、球払出装置１１の払出動作を停止し、エラー報知を行うようにしてもよい。こうすることにより、過剰な払い出しを防止することができる。
【００３９】
前記実施例２では、球通路２１にパチンコ球があっても、払出球検出センサ１３を、所定の位置ではない位置から、所定の位置に戻すことができる。これとは異なり、通過制御部材３７の上部にパチンコ球の入り込む窪みを設けたり、通過制御部材３７が球通路２１に入り込む向きと、払出球検出センサ１３を取り付ける向きとを相違させたりすることで、球通路２１内のパチンコ球を取り除いた後でなければ、一旦取り外した払出球検出センサ１３を所定の位置に戻すことができないようにしてもよい。この場合、不正行為によって払出球検出センサ１３を所定の位置から外してから、不正行為を行ったものが払出球検出センサ１３の位置を元に戻そうとしても容易に戻せず、不正行為を行った状態が残り、仮に元に戻せたとしても、時間がかかるため、不正行為の発見が容易になる。
【００４０】
前記実施例１〜３では、払出制御回路１７が球払出装置１１を制御するが、その他の実施形態として、パチンコ機１における他の制御回路（例えば、遊技制御回路等）や、パチンコ機１とは別の装置で払出制御回路１７を制御してもよい。
【図面の簡単な説明】
【００４１】
【図１】パチンコ機１の構成を表す裏面図である。
【図２】パチンコ機１の電気的構成を表すブロック図である。
【図３】球払出装置１１の周辺の構成を表す説明図であり、（ａ）は払出球検出センサ１３が取り付けられている状態を表し、（ｂ）は払出球検出センサ１３が取り外されている状態を表す。
【図４】球払出装置１１の周辺の構成を表す説明図であり、（ａ）は払出球検出センサ１３が取り付けられている状態を表し、（ｂ）は払出球検出センサ１３が取り外されている状態を表す。
【図５】球払出装置１１の周辺の構成を表す説明図であり、（ａ）は払出球検出センサ１３が取り付けられている状態を表し、（ｂ）は払出球検出センサ１３が取り外されている状態を表す。
【符号の説明】
【００４２】
１・・・パチンコ機、３・・・機構板、５・・・球タンク、７・・・タンクレール、
９・・・球供給路、１１・・・球払出装置、１３・・・払出球検出センサ、
１３ａ・・・先端部、１５・・・メイン制御回路、１７・・・払出制御回路、
１９・・・入賞球センサ、２１・・・球通路、２２・・・取り付け孔、
２３・・・通過孔、２４・・・アウト通路、２５・・・可動扉、２７・・・回動軸、
２９・・・先端部、３１・・・上側面、３３、３５・・・切り欠き部、
３７、４３・・・通過制御部材、３９・・・バネ、４１・・・エラー表示ＬＥＤ、
４５・・・上端部、４７・・・回動軸、４９・・・中央部、５１・・・下側部、
５３・・・錘、５４・・・下端部
【図１】
0005082808.tif 000002
【図２】
0005082808.tif 000003
【図３】
0005082808.tif 000004
【図４】
0005082808.tif 000005
【図５】
0005082808.tif 000006